(57)【要約】【課題】通信手段としての機能を維持しながら、ワンコール発信を用いて通話料金を抑制できる携帯電話装置、その制御方法及びプログラムを提供する。【解決手段】携帯電話装置１００は、発呼のために入力された電話番号と記憶装置９０に記憶された電話番号とを比較して一致を検出する番号比較部１２と、番号比較部１２で一致が検出されると入力された電話番号に従ってワンコール発呼を選択し、一致が検出されないと入力された電話番号に従って通常の発呼を選択する呼選択部１３と、呼選択部１３による選択結果に従って発呼を行う通話制御部１４とを備える。【選択図】図１
2010041658.tif 000002
【特許請求の範囲】
【請求項１】
発呼のために入力された電話番号と記憶装置に記憶された電話番号とを比較して一致を検出する番号比較部と、
前記番号比較部で一致が検出されると前記入力された電話番号に従ってワンコール発呼を選択し、一致が検出されないと前記入力された電話番号に従って通常の発呼を選択する呼選択部と、
前記呼選択部による選択結果に従って発呼を行う通話制御部とを備えることを特徴とする携帯電話装置。
【請求項２】
所定の期間内の通話料金を積算する料金積算部と、
前記料金積算部で積算された料金と、予め設定されたしきい値とを比較する料金比較部と、
前記料金比較部がしきい値未満の積算料金を検出すると、入力された電話番号に従って通常の発呼を選択し、前記しきい値以上の積算料金を検出すると、入力された電話番号に従ってワンコール発呼を選択する呼選択部と、
前記呼選択部による選択結果に従って発呼を行う通話制御部とを備えることを特徴とする携帯電話装置。
【請求項３】
ユーザの入力に従って前記しきい値を設定するしきい値設定部を更に有する、請求項２に記載の携帯電話装置。
【請求項４】
ユーザの設定するフラグに従って、前記呼選択部又は該呼選択部による選択をアクティブにするか否かを選択するモード選択部を更に有する、請求項１〜３の何れか一に記載の携帯電話装置。
【請求項５】
発呼のために入力された電話番号と記憶装置に記憶された電話番号とを比較して一致を検出する番号比較ステップと、
前記番号比較ステップで一致が検出されると前記入力された電話番号に従ってワンコール発呼を行い、一致が検出されないと前記入力された電話番号に従って通常の発呼を行う発呼ステップとを有することを特徴とする携帯電話装置の制御方法。
【請求項６】
所定の期間内の通話料金を積算する料金積算ステップと、
前記料金積算ステップで積算された料金と、予め設定されたしきい値とを比較する料金比較ステップと、
前記料金比較ステップでしきい値未満の積算料金が検出されると、入力された電話番号に従って通常の発呼を行い、前記しきい値以上の積算料金が検出されると、入力された電話番号に従ってワンコール発呼を行う発呼ステップとを有することを特徴とする携帯電話装置の制御方法。
【請求項７】
ユーザの設定するフラグに従って、前記発呼ステップを実施するか否かを選択するモード選択ステップを更に有する、請求項５又は６に記載の携帯電話装置の制御方法。
【請求項８】
コンピュータを有する携帯電話装置のためのプログラムであって、前記コンピュータに、
発呼のために入力された電話番号と記憶装置に記憶された電話番号とを比較して一致を検出する番号比較ステップと、
前記番号ステップで一致が検出されると前記入力された電話番号に従ってワンコール発呼を行い、一致が検出されないと前記入力された電話番号に従って通常の発呼を行う発呼ステップとを実行させることを特徴とするプログラム。
【請求項９】
コンピュータを有する携帯電話装置のためのプログラムであって、前記コンピュータに、
所定の期間内の通話料金を積算する料金積算ステップと、
前記料金積算ステップで積算された料金と、予め設定されたしきい値とを比較する料金比較ステップと、
前記料金比較ステップでしきい値未満の積算料金が検出されると、入力された電話番号に従って通常の発呼を行い、前記しきい値以上の積算料金が検出されると、入力された電話番号に従ってワンコール発呼を行う発呼ステップとを実行させることを特徴とするプログラム。
【請求項１０】
ユーザの設定するフラグに従って、前記発呼ステップを実施するか否かを選択するモード選択ステップを更に有する、請求項８又は９に記載のプログラム。
【発明の詳細な説明】
【技術分野】
【０００１】
本発明は、携帯電話装置、その制御方法及びプログラムに関し、更に詳しくは、ワンコール発信機能を有する携帯電話装置、その制御方法及びプログラムに関する。
【背景技術】
【０００２】
携帯電話装置には、通話対象（発呼先）にコール通知（発呼）した後に、通話に移行せずに自動的に回線を切断する、いわゆるワンコール発信機能を有するものが知られている。なお、本明細書中、発呼先に発呼した後で、通話に移行する前に回線を切断する発信であれば、発呼の回数が１回、又はそれ以上の回数のものも、便宜上、ワンコール発信と称する。
【０００３】
特許文献１には、契約ユーザに対してメールサービスを提供するサーバを備えたメール着信通知システムが記載されている。このサーバは、メールが着信すると、該当するユーザのメールボックスにメールを保存すると共に、データベースに記憶されているユーザの連絡先電話番号を参照し、ユーザの固定電話機に対してワンコール発信を行う。
【０００４】
【特許文献１】特開２００２−２９０４６６号公報
【特許文献２】特開２００４−１９３７６４号公報
【発明の開示】
【発明が解決しようとする課題】
【０００５】
近年、携帯電話装置の通話料金に関するトラブルが発生しており、社会問題になりつつある。トラブルとしては、例えば、収入に対する通話料金の占める割合が大きくなり、通話料金を滞納してしまうことが挙げられる。また、保護者が通話料金を支払っている未成年者は、通話料金を節約するという意識が低い傾向がある。そのため、未成年者が通話料金を考慮せずに携帯電話装置を使用してしまい、保護者が、通話料金の請求書が届いてから、膨大な料金が課せられていることに初めて気付くことがある。
【０００６】
ワンコール発信は、発呼先に着信履歴が残るので、着信履歴に基づいた発呼先からの発呼を期待できる。例えば、ワンコール発信を行った携帯電話装置に向けて、発呼先から発呼があれば、携帯電話装置のユーザは、通話料金を発生させることなく、通話対象との通話を行うことができる。つまり、ワンコール発信は、通話料金を抑制する上で有効な機能となる。
【０００７】
しかし、特許文献１に記載のサーバは、ユーザの固定電話機の表示部に「メール着信」などの文字列を表示するメール着信通知を行う際に、固定電話機に対してワンコール発信を行うものに過ぎない。つまり、特許文献１でのワンコール発信は、メール着信通知に伴う通話料金のみを抑制するものであり、携帯電話装置のユーザ間で発生する通話料金を抑制するものではない。
【０００８】
特許文献２には、通信料金（通話料金）の累計が予め設定した上限値を超過した場合に、特定の通信先についてのみ課金通信を可能とし、特定の通信先以外への課金通信を不能とする携帯通信装置が記載されている。
【０００９】
しかし、特許文献２の携帯通信装置では、通信料金が上限値を超過した後には、通信手段としての役割を全く果たせない。
【００１０】
本発明は、通信手段としての機能を維持しながら、ワンコール発信を用いて通話料金を抑制できる携帯電話装置、その制御方法及びプログラムを提供することを目的とする。
【課題を解決するための手段】
【００１１】
上記目的を達成するために、本発明は、発呼のために入力された電話番号と記憶装置に記憶された電話番号とを比較して一致を検出する番号比較部と、
前記番号比較部で一致が検出されると前記入力された電話番号に従ってワンコール発呼を選択し、一致が検出されないと前記入力された電話番号に従って通常の発呼を選択する呼選択部と、
前記呼選択部による選択結果に従って発呼を行う通話制御部とを備えることを特徴とする携帯電話装置を提供する。
【００１２】
また、本発明は、所定の期間内の通話料金を積算する料金積算部と、
前記料金積算部で積算された料金と、予め設定されたしきい値とを比較する料金比較部と、
前記料金比較部がしきい値未満の積算料金を検出すると、入力された電話番号に従って通常の発呼を選択し、前記しきい値以上の積算料金を検出すると、入力された電話番号に従ってワンコール発呼を選択する呼選択部と、
前記呼選択部による選択結果に従って発呼を行う通話制御部とを備えることを特徴とする携帯電話装置を提供する。
【００１３】
また、本発明は、発呼のために入力された電話番号と記憶装置に記憶された電話番号とを比較して一致を検出する番号比較ステップと、
前記番号比較ステップで一致が検出されると前記入力された電話番号に従ってワンコール発呼を行い、一致が検出されないと前記入力された電話番号に従って通常の発呼を行う発呼ステップとを有することを特徴とする携帯電話装置の制御方法を提供する。
【００１４】
また、本発明は、所定の期間内の通話料金を積算する料金積算ステップと、
前記料金積算ステップで積算された料金と、予め設定されたしきい値とを比較する料金比較ステップと、
前記料金比較ステップでしきい値未満の積算料金が検出されると、入力された電話番号に従って通常の発呼を行い、前記しきい値以上の積算料金が検出されると、入力された電話番号に従ってワンコール発呼を行う発呼ステップとを有することを特徴とする携帯電話装置の制御方法を提供する。
【００１５】
また、本発明は、コンピュータを有する携帯電話装置のためのプログラムであって、前記コンピュータに、
発呼のために入力された電話番号と記憶装置に記憶された電話番号とを比較して一致を検出する番号比較ステップと、
前記番号ステップで一致が検出されると前記入力された電話番号に従ってワンコール発呼を行い、一致が検出されないと前記入力された電話番号に従って通常の発呼を行う発呼ステップとを実行させることを特徴とするプログラムを提供する。
【００１６】
さらに、本発明は、コンピュータを有する携帯電話装置のためのプログラムであって、前記コンピュータに、
所定の期間内の通話料金を積算する料金積算ステップと、
前記料金積算ステップで積算された料金と、予め設定されたしきい値とを比較する料金比較ステップと、
前記料金比較ステップでしきい値未満の積算料金が検出されると、入力された電話番号に従って通常の発呼を行い、前記しきい値以上の積算料金が検出されると、入力された電話番号に従ってワンコール発呼を行う発呼ステップとを実行させることを特徴とするプログラムを提供する。
【発明の効果】
【００１７】
本発明の携帯電話装置、その制御方法及びプログラムによると、入力された電話番号と記憶された電話番号との比較結果、又は、積算料金としきい値との比較結果に応じて、ワンコール発呼を行うので、通信手段としての機能を維持しながら、通話料金を抑制できる。
【発明を実施するための最良の形態】
【００１８】
以下、図面を参照し、本発明の例示的な実施の形態について詳細に説明する。
（第１の実施形態）
図１は、本発明の第１の実施形態に係る携帯電話装置の構成を示すブロック図である。携帯電話装置１００は、ワンコール発信を行う機能を有する電話機である。携帯電話装置１００は、図１（ａ）に示すように、制御部１０と、無線部２０と、アンテナ３０と、スピーカ４０と、マイク５０と、操作部６０と、表示部７０と、電池８０と、記憶装置（メモリ）９０とを備える。制御部１０は、図１（ｂ）に示すように、モード選択部１１と、番号比較部１２と、呼選択部１３と、通話制御部１４とを備えている。なお、制御部１０は、プログラムによって制御されるコンピュータとして構成され、無線部２０や表示部７０等を制御する機能も備えている。
【００１９】
無線部２０は、制御部１０により制御され、アンテナ３０を介して受信した信号を復調し、変調した信号をアンテナ３０を介して送信する。通話時に、制御部１０は、アンテナ３０から無線部２０を介して受信した音声データをアナログ変換して、スピーカ４０より出力し、また、マイク５０から入力されたアナログ音声をデジタル変換して、無線部２０からアンテナ３０を介して送信する。
【００２０】
操作部６０は、図２に示すように、筐体６１の表面に搭載された複数のテンキー６２と、確定キーと、その他のキーとを含む。番号比較部１２には、発呼のために入力された電話番号が入力される。
【００２１】
表示部７０は、ＬＣＤ（Liquid Crystal Display）であって、制御部１０により制御され、電話帳機能などの各種機能に対応する画面を表示する。なお、電話帳機能は、メモリ９０に記憶された電話番号の一覧を表示する機能をいう。
【００２２】
メモリ９０は、所定のプログラムを記憶すると共に、ユーザエリアとして、図３に示すように、電話帳保存領域９０ａと、ワンコール用電話番号フラグ保存領域（以下、フラグ保存領域）９０ｂとを有する。電話帳保存領域９０ａには、電話番号やメールアドレス等の情報が保存される。
【００２３】
フラグ保存領域９０ｂには、ワンコール発信の設定のＯＮ又はＯＦＦを示すフラグが保存される。フラグは、ユーザ設定を行ったとき、又は、ユーザ設定を初期化するときのみ書き換え可能であって、例えば、設定ＯＮのとき「１」、設定ＯＦＦのときに「０」が保存される。フラグは、ワンコール発信を行うワンコール用電話番号に関連付けて設定される。つまり、電話帳保存領域９０ａに保存された電話番号のうち、フラグ「１」が関連付けられている電話番号は、ワンコール用電話番号となる。
【００２４】
モード選択部１１は、ユーザ設定に伴うフラグに従って、呼選択部１３をアクティブ（有効）にするか否かを選択する。番号比較部１２は、テンキーの押下に伴い入力された発呼のための電話番号と、メモリ９０に保存されたワンコール用電話番号とを比較して、両者の電話番号の一致を判定し、判定結果を示す信号を呼選択部１３に受け渡す。
【００２５】
呼選択部１３は、判定結果を示す信号を受けて、両者の電話番号の一致が検出されると、入力された電話番号に従ってワンコール発信を選択し、一致が検出されないと、入力された電話番号に従って通常の発呼を選択する。なお、呼選択部１３は、モード選択部１１により有効とされたとき、ワンコール用電話番号への発呼としてワンコール発信を選択し、モード選択部１１により無効とされたとき、入力された電話番号がワンコール用電話番号であっても通常の発呼を選択する。また、通話制御部１４は、呼選択部１３による選択結果に従って発呼を行う。
【００２６】
以下、携帯電話装置１００の動作について説明する。まず、図４及び図５を参照して、ワンコール発信を有効に設定する際の動作について説明する。この設定は、例えば、ユーザが加入している料金プランの上限（例えば、無料通話とされる通話料金）に通話料金が近付いていることをユーザが確認した場合等に行われる。
【００２７】
まず、図４に示すように、制御部１０は、ユーザによる操作部６０のメニュー操作に伴い、表示部７０を制御して、表示部７０に電話帳を表示させる（ステップＳ１１）。次に、制御部１０は、表示部７０を制御して、表示部７０にサブメニューを表示させる（ステップＳ１２）。表示部７０の画面７１には、図５に示すように、サブメニュー７２が表示されている。サブメニュー７２に含まれる各種メニューは、ユーザによる操作部６０の操作に伴って適宜選択される。なお、図５では、サブメニュー７２に含まれるワンコール用電話番号を示すメニュー７３が選択された状態を示している。
【００２８】
ステップＳ１２の後で、制御部１０は、メニュー７３が選択されたことを検知すると（ステップＳ１３）、表示部７０を制御し、ワンコール発信を有効、すなわち呼選択部１３をアクティブとするためのフラグを設定する画面を表示する。次に、モード選択部１１は、ユーザの操作に伴い画面上で、ワンコール発信の設定ＯＮが選択されたことを検知すると（ステップＳ１４）、メモリ９０のフラグ保存領域９０ｂにフラグＯＮを保存する（ステップＳ１５）。続いて、モード選択部１１は、ワンコール発信を有効とする（ステップＳ１６）。このような、上記各処理によって、携帯電話装置１００でのワンコール発信機能を実行するために必要な設定が完了する。
【００２９】
次に、図６を参照して、携帯電話装置１００でのワンコール発信機能を実行する際の動作について説明する。なお、呼選択部１３は、図４に示す各処理によってアクティブに設定されている。まず、発呼のための電話番号が番号比較部１２に入力されると（ステップＳ２１）、番号比較部１２は、メモリ９０のフラグ保存領域９０ｂを読み出し（ステップＳ２２）、フラグの状態を確認する（ステップＳ２３）。番号比較部１２は、フラグの状態を確認することで、入力された電話番号が、フラグＯＮが設定されたワンコール用電話番号と一致するか否かを検出する。
【００３０】
ステップＳ２３でフラグＯＮが設定されていると（Ｙ）、呼選択部１３は、入力された電話番号に従ってワンコール発信を選択し、この選択結果を通話制御部１４に受け渡す。選択結果を受けて、通話制御部１４は、ワンコール発信を行う（ステップＳ２４）。一方、ステップＳ２３でフラグＯＮが設定されていなければ（Ｎ）、呼選択部１３は、入力された電話番号に従って通常の発呼を選択し、この選択結果を受けた通話制御部１４は、通常の発呼を行う（ステップＳ２５）。
【００３１】
最後に、図７を参照して、ワンコール発信の設定を解除する動作について説明する。まず、図５に示したステップＳ１１〜Ｓ１３の処理と同一の処理を行う。ここで、ステップＳ１３の処理では、ワンコール発信を解除、すなわち呼選択部１３を無効とするためのフラグを設定する画面を表示する。次に、モード選択部１１は、ユーザの操作に伴って画面上でＯＦＦが選択されたことを検知すると（ステップＳ３４）、メモリ９０のフラグ保存領域９０ｂにフラグＯＦＦを保存する（ステップＳ３５）。続いて、モード選択部１１は、ワンコール発信を無効とする（ステップＳ３６）。このような、上記各処理によって、携帯電話装置１００でのワンコール発信が解除される。
【００３２】
本実施形態によれば、ユーザが通話料金を抑制する必要があると判断したとき等に、ユーザがフラグを設定することで、ワンコール用電話番号への発呼をワンコール発信とし、それ以外の電話番号へ通常の発呼を行うことができる。したがって、発呼先との通信手段としての機能を維持しながら、通話料金を抑制できる。
【００３３】
（実施形態２）
図８は、本発明の第２の実施形態に係る携帯電話装置の制御部の構成を示すブロック図である。本実施形態の携帯電話装置は、料金積算部１５で積算された積算料金が、予め設定されたしきい値（上限料金）を超えた場合に、自動的にワンコール発信を行う点で、第１の実施形態に係る上記携帯電話装置１００と異なる。なお、ワンコール発信の対象となる電話番号は、メモリに登録済みの全ての電話番号だけでなく、その他の発呼のために入力された電話番号を含む。以下では、上記携帯電話装置１００と略同一の構成等については、同一符号を付して、説明を適宜省略する。
【００３４】
携帯電話装置の制御部１０Ａは、図示のように、モード選択部１１Ａと、呼選択部１３Ａと、通話制御部１４と、料金積算部１５と、しきい値設定部１６と、料金比較部１７とを備える。料金積算部１５は、通話制御部１４から通話時間等を含む通話料金に関する情報を受けて、所定の期間内での通話料金を積算する。しきい値設定部１６は、ユーザの入力に従ってしきい値を設定する。料金比較部１７は、料金積算部１５で積算された積算料金（例えば１ヶ月内の通話料金）と、しきい値設定部１６で予め設定されたしきい値とを比較する。
【００３５】
呼選択部１３Ａは、料金比較部１７がしきい値未満の積算料金を検出すると、入力された電話番号に従って通常の発呼を選択し、しきい値以上の積算料金を検出すると、入力された電話番号に従ってワンコール発信による発呼を選択する。
【００３６】
メモリ９０Ａは、図９に示すように、ワンコール発信機能切替え金額設定領域（設定領域）９０ｃと、ワンコール発信機能有効フラグ保存領域（以下、フラグ保存領域）９０ｄとを有する。設定領域９０ｃは、上記しきい値を保存する領域である。設定領域９０ｃへのしきい値の保存は、しきい値設定部１６により行われる。フラグ保存領域９０ｄは、ワンコール発信機能を有効とするフラグを保存する領域である。フラグ保存領域９０ｄへのフラグの保存は、モード選択部１１Ａにより行われる。なお、フラグは、設定ＯＦＦ（無効）のとき「０」、設定ＯＮ（有効）のとき「１」となる。
【００３７】
以下、携帯電話装置の動作について説明する。まず、図１０を参照して、ワンコール発信機能を実行するための切替え設定について説明する。まず、制御部１０Ａは、ユーザによる操作部６０の操作に従い、表示部７０を制御して、ワンコール発信を有効に設定する、すなわち呼選択部１３Ａをアクティブにするための図１１に示す画面７４を表示させる（ステップＳ４１）。表示部７０の画面７４には、図示のように、ワンコール発信を設定するか否かを示すＯＮ／ＯＦＦメニュー７５が表示される。モード選択部１１Ａは、ユーザの操作に伴い画面７４上でＯＮが選択されたことを検知すると（ステップＳ４２）、メモリ９０Ａのフラグ保存領域９０ｄにフラグＯＮを保存し（ステップＳ４３）、ワンコール発信を有効とする。
【００３８】
続いて、制御部１０Ａは、表示部７０を制御して、通話料金の上限料金を設定するための図１２に示す画面７６を表示させる。表示部７０の画面７６には、図示のように、上限料金の設定を促すメッセージ７７が表示される。しきい値設定部１６は、ユーザの操作に伴い画面７６上で上限料金が設定されたことを検知すると（ステップＳ４４）、メモリ９０Ａの設定領域９０ｃに設定値を保存する（ステップＳ４５）。このような上記各処理によって、携帯電話装置でワンコール発信機能を実行するために必要な設定が完了する。
【００３９】
次に、図１３を参照して、携帯電話装置でのワンコール発信機能を実行する際の動作について説明する。なお、呼選択部１３Ａは、図１０に示す各処理によってアクティブに設定されている。まず、発呼のために電話番号が入力されると（ステップＳ５１）、料金比較部１７は、メモリ９０Ａの設定領域９０ｃに保存された上限料金を読み出して、料金積算部１５で積算された、例えば月内の通話料金が上限料金を超えているか否かを判定する（ステップＳ５２）。
【００４０】
ステップＳ５２で上記通話料金が上限料金を超えていると（Ｙ）、呼選択部１３Ａは、入力された電話番号に従ってワンコール発信を選択し、この選択結果を通話制御部１４に受け渡す。選択結果を受けて、通話制御部１４は、ワンコール発信を行う（ステップＳ５３）。一方、ステップＳ５２で通話料金が上限料金未満であれば（Ｎ）、呼選択部１３Ａは、通常の発呼を選択し、この選択結果を通話制御部１４に受け渡す。選択結果を受けて、通話制御部１４は、入力された電話番号に従って通常の発呼を行う（ステップＳ５４）。
【００４１】
最後に、図１４を参照して、ワンコール発信の設定を解除する動作について説明する。まず、制御部１０Ａは、ユーザの操作に伴い表示部７０を制御し、ワンコール発信を設定するための画面７４（図１１参照）を表示させる（ステップＳ６１）。次に、モード選択部１１Ａは、ユーザの操作に伴い、ワンコール発信を無効とするＯＦＦが選択されたことを検知すると（ステップＳ６２）、メモリ９０Ａのフラグ保存領域９０ｄにフラグＯＦＦを保存する（ステップＳ６３）。続いて、モード選択部１１Ａは、ワンコール発信を無効とする（ステップＳ６４）。このような、上記各処理によって、携帯電話装置でのワンコール発信が解除される。
【００４２】
本実施形態によれば、積算された通話料金が設定された上限を超えると、自動的にワンコール発信を選択するので、通話料金を確実に抑制できる。一例として、保護者が通話料金を支払っている未成年者がユーザである場合には、保護者が通話料金の上限を設定することで、上限を超えて通話料金が請求されることを防止できる。
【００４３】
また、上記各実施形態では、携帯電話装置を例に挙げて説明したが、これに限られず、固定電話機やＰＨＳ（Personal Handyphone System）、その他のモバイル系端末に、上記各実施形態で示した機能等を適用してもよい。
【００４４】
本発明では、一態様として、発呼のために入力された電話番号と記憶装置に記憶された電話番号とを比較して一致を検出する番号比較部と、番号比較部で一致が検出されると入力された電話番号に従ってワンコール発呼を選択し、一致が検出されないと入力された電話番号に従って通常の発呼を選択する呼選択部と、呼選択部による選択結果に従って発呼を行う通話制御部とを備える構成を採用できる。
【００４５】
上記構成により、発呼のために入力された電話番号が記憶装置に記憶された電話番号に一致すれば、ワンコール発呼を行い、一致しなれば、通常の発呼を行うことができる。したがって、発呼先との通信手段としての機能を維持しながら、通話料金を抑制できる。
【００４６】
また、本発明では、一態様として、所定の期間内の通話料金を積算する料金積算部と、料金積算部で積算された料金と、予め設定されたしきい値とを比較する料金比較部と、料金比較部がしきい値未満の積算料金を検出すると、入力された電話番号に従って通常の発呼を選択し、しきい値以上の積算料金を検出すると、入力された電話番号に従ってワンコール発呼を選択する呼選択部と、呼選択部による選択結果に従って発呼を行う通話制御部とを備える構成を採用できる。
【００４７】
上記構成により、積算料金がしきい値以上であれば、入力された電話番号に従いワンコール発呼を行い、しきい値未満であれば、通常の発呼を行うことができる。したがって、しきい値を超えると、全ての電話番号へ自動的にワンコール発呼を行い、通話料金を確実に抑制できる。
【００４８】
以上、本発明をその好適な実施形態に基づいて説明したが、本発明の携帯電話装置、その制御方法及びプログラムは、上記実施形態の構成にのみ限定されるものではなく、上記実施形態の構成から種々の修正及び変更を施したものも、本発明の範囲に含まれる。
【図面の簡単な説明】
【００４９】
【図１】（ａ）及び（ｂ）は、本発明の第１の実施形態に係る携帯電話装置の構成を示すブロック図。
【図２】操作部の外観を示す図。
【図３】メモリの構成を示す図。
【図４】ワンコール発信を設定する際の動作を示すフローチャート。
【図５】ワンコール用電話番号を選択する際の表示部の画面を示す図。
【図６】ワンコール発信を実行する際の動作を示すフローチャート。
【図７】ワンコール発信の設定を解除する際の動作を示すフローチャート。
【図８】本発明の第２の実施形態に係る携帯電話装置の制御部の構成を示すブロック図。
【図９】図８に示す携帯電話装置のメモリの構成を示す図。
【図１０】図８に示す携帯電話装置でワンコール発信を設定する際の動作を示すフローチャート。
【図１１】ワンコール発信を設定する際の表示部の画面を示す図。
【図１２】料金の上限を設定する際の表示部の画面を示す図。
【図１３】図８に示す携帯電話装置でワンコール発信を実行する際の動作を示すフローチャート。
【図１４】図８に示す携帯電話装置でワンコール発信の設定を解除する際の動作を示すフローチャート。
【符号の説明】
【００５０】
１０：制御部
１１：モード選択部
１２：番号比較部
１３：呼選択部
１４：通話制御部
１５：料金積算部
１６：しきい値設定部
１７：料金比較部
２０：無線部
３０：アンテナ
４０：スピーカ
５０：マイク
６０：操作部
７０：表示部
８０：電池
９０：記憶装置
９０ａ：電話帳保存領域
９０ｂ：ワンコール用電話番号フラグ保存領域
９０ｃ：ワンコール発信機能切替え金額設定領域
９０ｄ：ワンコール発信機能有効フラグ保存領域
１００：携帯電話装置
【図１】
2010041658.tif 000003
【図２】
2010041658.tif 000004
【図３】
2010041658.tif 000005
【図４】
2010041658.tif 000006
【図５】
2010041658.tif 000007
【図６】
2010041658.tif 000008
【図７】
2010041658.tif 000009
【図８】
2010041658.tif 000010
【図９】
2010041658.tif 000011
【図１０】
2010041658.tif 000012
【図１１】
2010041658.tif 000013
【図１２】
2010041658.tif 000014
【図１３】
2010041658.tif 000015
【図１４】
2010041658.tif 000016